(57)【要約】【課題】  画像データの背景となる部分の色の色み補正値が登録されているかを調べ、登録されている場合は、色みの補正を行うように指定し、登録されていない場合は色みの補正を行わないように設定する必要があり、色み補正の手順が複雑で面倒であるという問題があった。【解決手段】  色みを補正するフレームの色を自動抽出し印刷し、測色して、補正テーブルを作成する。印刷時に、画像データの色を自動抽出し、色み補正するフレームが使用されている画像データか否かを判断し、使用されている場合は色み補正を行い、使用されていない場合は色み補正を行わないようにする。【選択図】          図５
2005204105.tif 000002
【特許請求の範囲】
【請求項１】
画像データの色信号を印刷装置の色信号に変換する色信号変換手段と、
常に同じ色みで印刷するために色み補正を行いたい画像データで使用している色信号を抽出する色信号抽出手段と、
前記色信号抽出手段により抽出した色信号を保持する抽出色信号保持手段と、
前記色信号抽出手段により抽出した色信号を前記色信号変換手段により印刷装置の色信号に変換し印刷のためのテストパターンを作成する抽出色信号パターン作成手段と、
前記色信号抽出手段により抽出した色信号の色空間で隣接する複数の色信号を算出する隣接色信号算出手段と、
前記隣接色信号算出手段により算出した色信号を前記色信号変換手段により印刷装置の色信号に変換し印刷のためのテストパターンを作成する隣接色信号パターン作成手段と、
前記抽出色信号パターン作成手段により作成されたテストパターンと前記隣接色信号パターン作成手段により作成されたテストパターンを印刷するテストパターン印刷手段と、
前記テストパターン印刷手段により印刷されたテストパターンの色みを測色するテストパターン測色手段と、
前記テストパターン測色手段により測定された色信号の色みの測定値から前記色信号抽出手段により抽出した色信号の色みの目標の色みに対する変動量を算出する色み変動算出手段と、
前記テストパターン測色手段により測定された前記隣接色信号算出手段により算出した色信号の測定値から前記色み変動算出手段により算出された色みのずれを補正する印刷色信号補正値を算出する色み補正算出手段と、
前記色み補正算出手段により算出された印刷色信号補正値を保持する色み補正値保持手段とを有することを特徴とする色み補正方式。
【請求項２】
画像データの印刷において、印刷する画像データの色信号を抽出する印刷色信号抽出手段と、
前記抽出色信号保持手段により保持された色信号のすべてもしくは規定比率以上が前記印刷色信号抽出手段により抽出された色信号に含まれるか否かを判断する色信号一致判断手段と、
前記色信号一致判断手段により、すべてもしくは規定比率以上含まれると判断された場合に、印刷する画像データの前記抽出色信号保持手段で保持されている色信号に対して前記色み補正値保持手段により保持されている印刷色信号補正値で色みの補正する色み補正手段とを有することを特徴とする請求項１に記載の色み補正方式。
【発明の詳細な説明】
【技術分野】
【０００１】
本発明は、印刷装置における色み補正方法に関する。
【背景技術】
【０００２】
従来、印刷装置（プリンタ）の個体差や環境、トナー等消耗品による色みが変動した場合に、特定の色の色み補正は、色み補正用のユーティリティソフト等を用いて、ユーザが色みを合わせたい特定の色を指定し、その色のパッチパターンを印刷し、測色を行い、測色値から色みの変動量を算出し、補正値を登録している。また、実際に画像データを印刷する際に、ユーザは、登録している補正値で色を補正するか否かを印刷する画像データ毎に指定して、印刷を行っていた（例えば、特許文献１）。
【特許文献１】特開２００２−２１８２４５号公報
【発明の開示】
【発明が解決しようとする課題】
【０００３】
しかしながら、上記従来例の方法では、色みの補正値を登録する際に、ユーザは色みを補正する色を指定しなければならず、帳票のフレームなど多くの色を使った画像データでは、１つ１つ色を抜き出して、色み補正用のユーティリティソフトに入力することは、大きな手間がかかってしまっている。また、実際に帳票等の画像データを印刷する際に、ユーザは、画像データの背景となる部分の色の色み補正値が登録されているかを調べ、登録されている場合は、色みの補正を行うように指定し、登録されていない場合は色みの補正を行わないように設定する必要があり、色み補正の手順が複雑で面倒であるという問題があった。
【０００４】
本発明は、このような問題に鑑みてなされたもので、その課題とするところは、色み補正値登録時は、帳票のフレームに使用されている色を自動的に算出し、算出した色のパッチおよびその周辺の色みのパッチ作成し、プリンタで印刷し、印刷されたパッチをスキャナーや測色機等で測定し、算出した色がそれぞうれ目標の色みになるような補正テーブルを作成し保持する。
【０００５】
また、画像データ印刷時は、画像データに使用されている色を算出し、算出した色が補正テーブル作成処理時に算出した色のすべて、もしくは、規定比率以上使用されているかを判別し、すべての色もしくは規定比率以上の色が使用されている場合は、補正テーブルにより色みの補正を行い、印刷し、規定比率未満の場合は、補正テーブルによる色みの補正は行わずに印刷することにより、ユーザは、色み補正値登録時の色の指定をする必要がなくなり、また、印刷時に色みの補正を行うか否かを設定する必要がなくなり、簡単に色み補正を行うことができ、特定の色に対して常に色みの安定した印刷を行うことが可能になる印刷装置及び濃度補正方法を提供することにある。
【課題を解決するための手段】
【０００６】
本発明は、このような課題を解決するために、請求項１に記載の発明は、画像データの色信号を印刷装置の色信号に変換する色信号変換手段と、
常に同じ色みで印刷するために色み補正を行いたい画像データで使用している色信号を抽出する色信号抽出手段と、
前記色信号抽出手段により抽出した色信号を保持する抽出色信号保持手段と、
前記色信号抽出手段により抽出した色信号を前記色信号変換手段により印刷装置の色信号に変換し印刷のためのテストパターンを作成する抽出色信号パターン作成手段と、
前記色信号抽出手段により抽出した色信号の色空間で隣接する複数の色信号を算出する隣接色信号算出手段と、
前記隣接色信号算出手段により算出した色信号を前記色信号変換手段により印刷装置の色信号に変換し印刷のためのテストパターンを作成する隣接色信号パターン作成手段と、
前記抽出色信号パターン作成手段により作成されたテストパターンと前記隣接色信号パターン作成手段により作成されたテストパターンを印刷するテストパターン印刷手段と、
前記テストパターン印刷手段により印刷されたテストパターンの色みを測色するテストパターン測色手段と、
前記テストパターン測色手段により測定された色信号の色みの測定値から前記色信号抽出手段により抽出した色信号の色みの目標の色みに対する変動量を算出する色み変動算出手段と、
前記テストパターン測色手段により測定された前記隣接色信号算出手段により算出した色信号の測定値から前記色み変動算出手段により算出された色みのずれを補正する印刷色信号補正値を算出する色み補正算出手段と、
前記色み補正算出手段により算出された印刷色信号補正値を保持する色み補正値保持手段を設けたことを特徴とする。
【０００７】
また、請求項２の発明は、請求項１の発明において、画像データの印刷において、印刷する画像データの色信号を抽出する印刷色信号抽出手段と、
前記抽出色信号保持手段により保持された色信号のすべてもしくは規定比率以上が前記印刷色信号抽出手段により抽出された色信号に含まれるか否かを判断する色信号一致判断手段と、
前記色信号一致判断手段により、すべてもしくは規定比率以上含まれると判断された場合に、印刷する画像データの前記抽出色信号保持手段で保持されている色信号に対して前記色み補正値保持手段により保持されている印刷色信号補正値で色みの補正する色み補正手段を設けたことを特徴とする。
【０００８】
本発明は、このような構成により、色み補正値登録時は、帳票のフレームに使用されている色を自動的に算出し、算出した色のパッチおよびその周辺の色みのパッチ作成し、プリンタで印刷し、印刷されたパッチをスキャナーや測色機等で測定し、算出した色がそれぞれ目標の色みになるような補正テーブルを作成し保持する。
【０００９】
また、画像データ印刷時は、画像データに使用されている色を算出し、算出した色が補正テーブル作成処理時に算出した色のすべて、もしくは、規定比率以上使用されているかを判別し、すべての色もしくは規定比率以上の色が使用されている場合は、補正テーブルにより色みの補正を行い、印刷し、規定比率未満の場合は、補正テーブルによる色みの補正は行わずに印刷することにより、ユーザは、色み補正値登録時の色の指定をする必要がなくなり、また、印刷時に色みの補正を行うか否かを設定する必要がなくなり、簡単に色み補正を行うことができ、特定の色に対して常に色みの安定した印刷を行うことが可能になる。
【発明の効果】
【００１０】
本発明によれば、画像データの色信号を印刷装置の色信号に変換する色信号変換手段と、
常に同じ色みで印刷するために色み補正を行いたい画像データで使用している色信号を抽出する色信号抽出手段と、
前記色信号抽出手段により抽出した色信号を保持する抽出色信号保持手段と、
前記色信号抽出手段により抽出した色信号を前記色信号変換手段により印刷装置の色信号に変換し印刷のためのテストパターンを作成する抽出色信号パターン作成手段と、
前記色信号抽出手段により抽出した色信号の色空間で隣接する複数の色信号を算出する隣接色信号算出手段と、
前記隣接色信号算出手段により算出した色信号を前記色信号変換手段により印刷装置の色信号に変換し印刷のためのテストパターンを作成する隣接色信号パターン作成手段と、
前記抽出色信号パターン作成手段により作成されたテストパターンと前記隣接色信号パターン作成手段により作成されたテストパターンを印刷するテストパターン印刷手段と、
前記テストパターン印刷手段により印刷されたテストパターンの色みを測色するテストパターン測色手段と、
前記テストパターン測色手段により測定された色信号の色みの測定値から前記色信号抽出手段により抽出した色信号の色みの目標の色みに対する変動量を算出する色み変動算出手段と、
前記テストパターン測色手段により測定された前記隣接色信号算出手段により算出した色信号の測定値から前記色み変動算出手段により算出された色みのずれを補正する印刷色信号補正値を算出する色み補正算出手段と、
前記色み補正算出手段により算出された印刷色信号補正値を保持する色み補正値保持手段を、
また、画像データの印刷において、印刷する画像データの色信号を抽出する印刷色信号抽出手段と、
前記抽出色信号保持手段により保持された色信号のすべてもしくは規定比率以上が前記印刷色信号抽出手段により抽出された色信号に含まれるか否かを判断する色信号一致判断手段と、
前記色信号一致判断手段により、すべてもしくは規定比率以上含まれると判断された場合に、印刷する画像データの前記抽出色信号保持手段で保持されている色信号に対して前記色み補正値保持手段により保持されている印刷色信号補正値で色みの補正する色み補正手段を設けたことにより、
色み補正値登録時は、帳票のフレームに使用されている色を自動的に算出し、算出した色のパッチおよびその周辺の色みのパッチ作成し、プリンタで印刷し、印刷されたパッチをスキャナーや測色機等で測定し、算出した色がそれぞうれ目標の色みになるような補正テーブルを作成し保持し、
また、画像データ印刷時は、画像データに使用されている色を算出し、算出した色が補正テーブル作成処理時に算出した色のすべて、もしくは、規定比率以上使用されているかを判別し、すべての色もしくは規定比率以上の色が使用されている場合は、補正テーブルにより色みの補正を行い、印刷し、規定比率未満の場合は、補正テーブルによる色みの補正は行わずに印刷することにより、
ユーザは、色み補正値登録時の色の指定をする必要がなくなり、また、印刷時に色みの補正を行うか否かを設定する必要がなくなり、簡単に色み補正を行うことができ、特定の色に対して常に色みの安定した印刷を行うことが可能になる
【発明を実施するための最良の形態】
【００１１】
以下本発明を実施するための最良の形態を、実施例により詳しく説明する。
【実施例１】
【００１２】
以下、図面に基づいて本発明の実施例を詳細に説明する。
【００１３】
図１は、本発明の色み補正処理の一実施形態における制御構成を説明するためのブロック図である。図中符号１０１はホストコンピュータで、画像データの色信号を印刷のための色信号に変換する色変換処理、色み補正テーブルを作成するためのテストパターンを作成、作成したテストパターンを印刷するために印刷データのプリンタ１０２への送出、画像データを印刷するために印刷データのプリンタ１０２への送出、測色装置１０３で測色された測定値の取り込み、測色値から色み補正テーブルの作成を行うものである。
【００１４】
プリンタ１０２は、ホストコンピュータ１０１から送出されたテストパターンや画像データの印刷データを印刷するものである。
【００１５】
測色装置１０３は、プリンタ１０２で印刷されたテストパターンの測色を行い、測定値をホストコンピュータ１０１に送出する。
【００１６】
図２は、本実施形態における色変換処理の制御構成を説明するためのブロック図である。画像データを印刷する場合、ホストコンピュータ上に表示される色みと印刷された色みを同じにするために、画像データの色信号を、プリンタの色信号に色変換（カラーマッチング）する必要がある。ホストコンピュータ１０１において、画像データ２０１の色信号であるＲＧＢデータは、色変換処理部２０２において、後述する色変換ＬＵＴ（ルックアップテーブル）を用いて、プリンタの色信号Ｒ’Ｇ’Ｂ’データに変換を行う。この時、画像データの色信号が色み補正を行う色信号の場合は、後述する色み補正処理部２０３において、色み補正が行わたプリンタの色信号Ｒ”Ｇ”Ｂ”データに変換される。色変換されたＲ’Ｇ’Ｂ’データもしくは、Ｒ”Ｇ”Ｂ”データは、プリンタへ送られ、印刷される。
【００１７】
次に、図３、図４を参照して、色変換ＬＵＴのついて説明する。
【００１８】
図３は、色変換処理における色変換ＬＵＴの構成の一例を示す図であり、図４はデータの配列を示す図である。
【００１９】
色変換ＬＵＴは、画像データの色信号である各色２５６階調のＲ，Ｇ，Ｂデータをそれぞれ均等にＮ分割し（図３）、分割したＲ，Ｇ，Ｂデータのすべての組合せ（グリット）に対して、同じ色みのプリンタの色信号である各色２５６階調のＲ’，Ｇ’，Ｂ’データを格納している（図４）。
【００２０】
色変換は、色変換ＬＵＴを用いて行われ、画像データの色信号Ｒａ，Ｇａ，Ｂａデータが入力された場合、色変換ＬＵＴ  において、Ｒａ，Ｇａ，Ｂａデータに隣接する数点ののグリット上のＲ，Ｇ，Ｂデータに格納されているプリンタの色信号Ｒ’，Ｇ’，Ｂ’から補間処理により、画像データの色信号Ｒａ，Ｇａ，Ｂａデータに対するプリンタの色信号Ｒａ’，Ｇａ’，Ｂａ’データを算出する。
【００２１】
次に、図５から図９を参照して、色み補正テーブルの作成処理について説明する。
【００２２】
図５は、色み補正テーブル作成処理の一例を示すフローチャートである。
【００２３】
図５において、まず、色みの補正を行いたい帳票のフレーム等の画像データを受け取り（Ｓ５０１）、画像データに使用されているすべての色信号を抽出し（Ｓ５０２）、さらに、色変換ＬＵＴにおける抽出した色信号に隣接する８点のグリット上の色信号を抽出する（Ｓ５０３）。図６は色変換ＬＵＴ上の１ブロックを示したものであり、ステップＳ５０２において抽出された１つの色信号（Ｒａ，Ｇａ，Ｂａ）は、８点のグリット上の色信号（Ｒｍ，Ｇｍ，Ｂｍ），（Ｒｍ，Ｇｍ，Ｂｍ＋１），（Ｒｍ，Ｇｍ＋１，Ｂｍ），（Ｒｍ，Ｇｍ＋１，Ｂｍ＋１），（Ｒｍ＋１，Ｇｍ，Ｂｍ），（Ｒｍ＋１，Ｇｍ，Ｂｍ＋１），（Ｒｍ＋１，Ｇｍ＋１，Ｂｍ），（Ｒｍ＋１，Ｇｍ＋１，Ｂｍ＋１）に囲まれており、これら８点の色信号を隣接する色信号として抽出する。
【００２４】
次に、ステップＳ５０２において抽出された色信号（Ｒａ，Ｇａ，Ｂａ）を色変換処理においてプリンタの色信号（Ｒａ’，Ｇａ’，Ｂａ’）に変換し、測色を行うためのパッチパターンを作成し、同様に、隣接する８点の色信号についても、プリンタの色信号に変換し、測色を行うためのパッチパターンを作成する（Ｓ５０４）。図７はパッチパターンで構成されたテストパターンの一例を示したものである。各行は、ステップＳ５０４で作成した抽出した色のプリンタ色信号のパッチパターン（最左列）と、横に並んで隣接する８点の色のプリンタ色信号のパッチパターンで構成し、ステップＳ５０２で抽出されたすべての色信号に対して、同様のパッチパターンを構成し、テストパターンを作成する（Ｓ５０４）。
【００２５】
続いて、ステップＳ５０４で作成したテストパターンをプリンタ１０２に送出し、印刷を行い（Ｓ５０５）、印刷されたテストパターンのすべてのパッチパターンを測色装置１０３で測色し（Ｓ５０６）、測色値をホストコンピュータ１０１で取り込み、画像データから抽出した色信号の測色値から目的の色みからの変動量を算出し、隣接する８点の色信号の測定値から補間処理により目的の色みなるようなプリンタの色信号の補正値を算出する（Ｓ５０７）。図８は、図６に示した色変換ＬＵＴのプリンタの色信号の構成を示したものである。画像データの色信号（Ｒａ，Ｇａ，Ｂａ）に対するプリンタの色信号（Ｒａ’，Ｇａ’，Ｂａ’）の測色値より、画像データの色信号（Ｒａ，Ｇａ，Ｂａ）の目的の色みからの変動量を算出し、隣接する８点の色信号の測定値から、画像データの色信号（Ｒａ，Ｇａ，Ｂａ）の目的の色みとなるプリンタの色信号（Ｒａ”，Ｇａ”，Ｂａ”）を算出する。
【００２６】
ステップＳ５０７で算出されたプリンタの色信号（Ｒａ”，Ｇａ”，Ｂａ”）が、図９に示すように画像データの色信号（Ｒａ，Ｇａ，Ｂａ）に対応するプリンタの色信号なるように登録し、同様にステップＳ５０２で抽出されたすべての色信号に対して目的の色みとなるプリンタの色信号を登録し、色み補正テーブルを作成し（Ｓ５０８）、作成した色み補正テーブルを色み補正処理において保持する（Ｓ５０９）。
【００２７】
次に、図１０を参照して、画像データ印刷時の色み補正処理について説明する。
【００２８】
図１０は、色み補正処理の一例を示すフローチャートである。
【００２９】
図１０において、まず、印刷を行う画像データを受け取り（Ｓ１００１）、画像データに使用されているすべての色信号を抽出し（Ｓ１００２）、抽出した色信号の中に何％の色み補正テーブル登録処理において作成した色み補正テーブル（図９）に登録されている画像データ抽出色信号が使用されているか使用率を算出し（Ｓ１００３）、使用率が１００％もしくは規定値以上の場合は、色み補正テーブル登録処理を行った色みを合わせたい画像データをフレームとして使用している画像データと判断し、色み補正フラグをＯＮに設定し（Ｓ１００５）、ステップＳ１００６に進む。一方、使用率が規定値に満たない場合は、色み補正テーブル登録処理を行った色みを合わせたい画像データをフレームとして使用していない画像データと判断し、色み補正テーブルによる色み補正を行わないよう色み補正フラグをＯＦＦに設定し（Ｓ１０１１）、ステップＳ１００６に進む。
【００３０】
ステップＳ１００６において、画像データの色信号の１つを取り出し、すべての色信号を取り出したか否かを判断し（Ｓ１００７）、色信号がある場合は、色み補正フラグがＯＮかＯＦＦかを判断し（Ｓ１００８）、色み補正がＯＮの場合は、色信号が色み補正テーブルに登録されている色信号か否かを判断し（Ｓ１００９）、登録されている場合は、色変換処理において色み補正テーブルに登録されている補正プリンタ色信号に変換し（Ｓ１０１０）、ステップＳ１００６に戻る。
【００３１】
一方、ステップＳ１００９において、色み補正テーブルに登録されていないと判断された場合は、色変換処理において色変換ＬＵＴを用いてプリンタの色信号に変換し（Ｓ１０１２）、ステップＳ１００６に戻る。
【００３２】
一方、ステップＳ１００８において、色み補正フラグがＯＦＦの場合は、ステップＳ１０１２に進む。
【００３３】
一方、ステップＳ１００７において、取り出していない色信号がないと判断された場合は、すべての色変換処理が終了したとして、処理を終了する。
【図面の簡単な説明】
【００３４】
【図１】本発明の色み補正処理の一実施形態におけるの制御構成を説明するためのブロック図である。
【図２】本実施形態における色変換処理の制御構成を説明するためのブロック図である。
【図３】本実施形態における色変換処理における色変換ＬＵＴの構成の一例を示す図である。
【図４】本実施形態における色変換処理における色変換ＬＵＴのデータ配列を示す図である。
【図５】本実施形態における色み補正テーブル作成処理の一例を示すフローチャートである。
【図６】本実施形態における色変換ＬＵＴ上の１ブロックを示す図である。
【図７】本実施形態におけるテストパターンの一例示す図である。
【図８】本実施形態における色変換ＬＵＴのプリンタの色信号の構成を示す図である。
【図９】本実施形態における色み補正テーブルの構成を示す図である。
【図１０】本実施形態における色み補正処理の一例を示すフローチャートである。
【符号の説明】
【００３５】
１０１  ホストコンピュータ
１０２  プリンタ
１０３  測色装置
２０１  画像データ
２０２  色変換（カラーマッチング）処理部
２０３  色み補正処理部
【図１】
2005204105.tif 000003
【図２】
2005204105.tif 000004
【図３】
2005204105.tif 000005
【図４】
2005204105.tif 000006
【図５】
2005204105.tif 000007
【図６】
2005204105.tif 000008
【図８】
2005204105.tif 000009
【図９】
2005204105.tif 000010
【図１０】
2005204105.tif 000011
【図７】
2005204105.tif 000012